【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
金属溶湯を収容している容器内で前記金属溶湯を循環させるための装置であって、前記装置が、
完全に前記容器内に配置されたウェルと、
前記ウェル内に配置された磁石と、
前記ウェルの破損を検出する検出器と、
前記検出器からの信号に応じて、前記磁石を前記ウェルの外につり上げるように作動可能なつり上げ装置と
を含む、装置。
【請求項２】
前記磁石が、回転可能式または電磁式のいずれかである、請求項１に記載の装置。
【請求項３】
ａ．主炉床と、
ｂ．サイドウェルと、
ｃ．少なくとも前記主炉床および前記サイドウェルを取り囲む溶解炉壁と、
ｄ．前記溶解炉内で金属溶湯を撹拌する装置であって、
ｉ．完全に前記溶解炉内であって、かつ前記溶解炉壁に接触することなく前記サイドウェルに隣接して配置される略円筒形の耐熱壁を備えるポンプウェルと、
ｉｉ．少なくとも部分的に前記ポンプウェル内におかれ、磁石アセンブリを備える渦電流ポンプと、
を含む装置と、
ｅ．前記ウェルの破損を検出する検出器と、
ｆ．前記検出器からの信号に応じて、前記ポンプを前記ウェルの外につり上げるように作動可能なつり上げ装置と、
を含む金属溶湯溶解炉。
【請求項４】
前記磁石アセンブリが、回転可能な永久磁石アセンブリであり、前記ポンプが、前記回転可能な永久磁石アセンブリを回転させるモータをさらに含む、請求項３に記載の溶解炉。
【請求項５】
前記磁石アセンブリが、固定された電磁式アセンブリである、請求項３に記載の溶解炉。
【請求項６】
前記ポンプウェルが、前記サイドウェルに隣接する、請求項３に記載の溶解炉。
【請求項７】
前記ポンプを冷却する手段をさらに含む、請求項３に記載の溶解炉。
【請求項８】
前記冷却手段が、冷却媒体を前記ウェル内に吹き込む送風機である、請求項７に記載の溶解炉。
【請求項９】
前記少なくとも１つの磁石の周囲に冷却媒体を通過させるように適合されるジャケットをさらに含む、請求項８に記載の溶解炉。
【請求項１０】
溶解炉の操作者の制御に応じて、前記ポンプを前記ウェルの外につり上げるように作動可能なつり上げ装置をさらに含む、請求項３に記載の溶解炉。
【請求項１１】
非鉄金属溶湯溶解炉で使用する金属溶湯撹拌装置であって、前記装置が、
ａ．前記溶解炉容器内に配置可能なポンプ容器と、
ｂ．前記ポンプ容器内に配置された磁石装置と、
ｃ．前記ポンプ容器に配置された、前記ポンプ容器における少なくとも１つのパラメータを測定する検出器と、
ｄ．前記磁石装置を少なくとも部分的に前記ポンプ容器の外に取り出す巻き上げ装置であって、前記検出器が前記少なくとも１つのパラメータを測定する場合、前記磁石装置を前記ポンプ容器の外に移動するように構成される巻き上げ装置と、
を含む、金属溶湯撹拌装置。
【請求項１２】
前記磁石装置が、電磁式アセンブリを含む、請求項１１に記載の撹拌装置。
【請求項１３】
前記磁石装置が、少なくとも１つの永久磁石と、前記永久磁石を回転させるモータとを含む、請求項１１に記載の撹拌装置。
【請求項１４】
前記検出器が熱電対である、請求項１１に記載の撹拌装置。
【請求項１５】
前記検出器が、導電率検出器である、請求項１１に記載の撹拌装置。
【手続補正２】
【補正対象書類名】明細書
【補正対象項目名】００２４
【補正方法】変更
【補正の内容】
【００２４】
図示または上述の構成要素、ならびに図示や記載のない構成要素およびステップからなる様々な構成が可能である。同様に、一部の特徴および部分的組み合わせが有用であり、その他の特徴および部分的組み合わせと関係なく利用されるのであってもよい。限定目的ではなく、説明の目的のために本発明の実施形態を説明してきたが、本特許明細書を読めば代替的な実施形態が明らかとなろう。したがって、本発明は、上述または図面に示された実施形態に限定されるものではなく、下記の特許請求の範囲から逸脱することなく様々な実施形態および修正がなされ得る。
なお、本開示は以下の態様を含む。
・態様１
金属溶湯を収容している容器内で前記金属溶湯を循環させるための装置であって、前記装置が、
完全に前記容器内に配置されたウェルと、
前記ウェル内に配置された磁石と
を含む、装置。
・態様２
前記磁石が、回転可能式または電磁式のいずれかである、態様１に記載の装置。
・態様３
前記ウェルの破損を検出する検出器をさらに含む、態様１に記載の装置。
・態様４
前記検出器からの信号に応じて、前記磁石を前記ウェルの外につり上げるように作動可能なつり上げ装置をさらに含む、態様３に記載の溶解炉。
・態様５
ａ．主炉床と、
ｂ．サイドウェルと、
ｃ．少なくとも前記主炉床および前記サイドウェルを取り囲む溶解炉壁と、
ｄ．前記溶解炉内で金属溶湯を撹拌する装置と、を含み、
前記装置が、
ｉ．完全に前記溶解炉内であって、かつ前記溶解炉壁に接触することなく前記サイドウェルに隣接して配置される略円筒形の耐熱壁を備えるポンプウェルと、
ｉｉ．少なくとも部分的に前記ポンプウェル内におかれ、磁石アセンブリを備える渦電流ポンプと、を含む金属溶湯溶解炉。
・態様６
前記磁石アセンブリが、回転可能な永久磁石アセンブリであり、前記ポンプが、前記回転可能な永久磁石アセンブリを回転させるモータをさらに含む、態様５に記載の溶解炉。
・態様７
前記磁石アセンブリが、固定された電磁式アセンブリである、態様５に記載の溶解炉。
・態様８
前記ポンプウェルが、前記サイドウェルに隣接する、態様５に記載の溶解炉。
・態様９
前記ポンプを冷却する手段をさらに含む、態様５に記載の溶解炉。
・態様１０
前記冷却手段が、冷却媒体を前記ウェル内に吹き込む送風機である、態様９に記載の溶解炉。
・態様１１
前記少なくとも１つの磁石の周囲に冷却媒体を通過させるように適合されるジャケットをさらに含む、態様１０に記載の溶解炉。
・態様１２
前記ウェルの破損を検出する検出器をさらに含む、態様５に記載の溶解炉。
・態様１３
前記検出器からの信号に応じて、前記ポンプを前記ウェルの外につり上げるように作動可能なつり上げ装置をさらに含む、態様１２に記載の溶解炉。
・態様１４
溶解炉の操作者の制御に応じて、前記ポンプを前記ウェルの外につり上げるように作動可能なつり上げ装置をさらに含む、態様１３に記載の溶解炉。
・態様１５
非鉄金属溶湯溶解炉で使用する金属溶湯撹拌装置であって、前記装置が、
ａ．前記溶解炉容器内に配置可能なポンプ容器と、
ｂ．前記ポンプ容器内に配置された磁石装置と、
ｃ．前記ポンプ容器に配置された、前記ポンプ容器における少なくとも１つのパラメータを測定する検出器と、
を含む、金属溶湯撹拌装置。
・態様１６
前記磁石装置が、電磁式アセンブリを含む、態様１５に記載の撹拌装置。
・態様１７
前記磁石装置が、少なくとも１つの永久磁石と、前記永久磁石を回転させるモータとを含む、態様１５に記載の撹拌装置。
・態様１８
前記磁石装置を少なくとも部分的に前記ポンプ容器の外に取り出す巻き上げ装置をさらに含む、態様１５に記載の撹拌装置。
・態様１９
前記検出器が前記少なくとも１つのパラメータを測定する場合、前記巻き上げ装置が、前記磁石装置を前記ポンプ容器の外に移動するように構成される、態様１８に記載の撹拌装置。
・態様２０
前記検出器が熱電対である、態様１５に記載の撹拌装置。
・態様２１
前記検出器が、導電率検出器である、態様１５に記載の撹拌装置。